(57)【特許請求の範囲】
【請求項１】
オークションに関する表示要求があると、前記オークションが出品された出品日時と、前記オークションに入札がされた入札日時ならびに入札情報と、前記オークションの締切日時と、を抽出する抽出部と、
画面において、時間表示欄に注目日時から前記締切日時までの残り時間を、入札情報表示欄に前記入札情報を、それぞれ表示する表示部と、
前記出品日時から前記入札日時のうち最古の入札日時までの間のいずれかの時刻を前記注目日時に設定し、
前記注目日時が現在日時に至るまで、前記注目日時を現実の時間経過よりも高速に更新し、前記注目日時が前記入札日時に至ると、当該入札日時における前記入札情報が前記入札情報表示欄に表示されるように設定する
更新部と、
を備えることを特徴とする表示装置。
【請求項２】
前記更新部は、現在日時から前記締切日時までの残り時間が所定の閾時間以下であるときに前記表示要求があると、現在日時を前記注目日時に設定する
ことを特徴とする請求項１に記載の表示装置。
【請求項３】
前記更新部は、前記表示要求ごとに前記所定の閾時間をランダムに変化させ、当該所定の閾時間の期待値を、前記オークションに対する閲覧率又は入札率が向上するように修正する
ことを特徴とする請求項２に記載の表示装置。
【請求項４】
前記更新部は、前記注目日時が現在日時に至ると、現在日時から前記締切日時までの残り時間が所定の閾時間を超えていれば、前記出品日時から前記入札日時のうち最古の入札日時までの間のいずれかの時刻を前記注目日時に設定する
ことを特徴とする請求項１に記載の表示装置。
【請求項５】
前記更新部は、前記注目日時を現実の時間経過よりも高速に更新する倍率を、前記注目日時が前記入札日時を含む所定範囲内に含まれるか否かにより変化させる
ことを特徴とする請求項１に記載の表示装置。
【請求項６】
前記表示部は、現在日時から前記締切日時までの残り時間が前記注目日時から前記締切日時までの残り時間より長いか否かに基づいて、前記時間表示欄の表示態様を変化させる
ことを特徴とする請求項１に記載の表示装置。
【請求項７】
前記入札情報は、入札価格である
ことを特徴とする請求項１に記載の表示装置。
【請求項８】
前記入札情報は、入札数である
ことを特徴とする請求項１に記載の表示装置。
【請求項９】
前記更新部は、
前記注目日時が前記現在日時に至って後、前記注目日時を現実の時間経過と同じ速度で更新する
ことを特徴とする請求項１に記載の表示装置。
【請求項１０】
表示装置が実行する表示方法であって、
前記表示装置が、オークションに関する表示要求があると、前記オークションが出品された出品日時と、前記オークションに入札がされた入札日時ならびに入札情報と、前記オークションの締切日時と、を抽出する抽出工程と、
前記表示装置が、画面において、時間表示欄に注目日時から前記締切日時までの残り時間を、入札情報表示欄に前記入札情報を、それぞれ表示する表示工程、
前記表示装置が、前記出品日時から前記入札日時のうち最古の入札日時までの間のいずれかの時刻を前記注目日時に設定し、
前記注目日時が現在日時に至るまで、前記注目日時を現実の時間経過よりも高速に更新し、前記注目日時が前記入札日時に至ると、当該入札日時における前記入札情報が前記入札情報表示欄に表示されるように設定する
更新工程と、
を備えることを特徴とする表示方法。
【請求項１１】
コンピュータを、
オークションに関する表示要求があると、前記オークションが出品された出品日時と、前記オークションに入札がされた入札日時ならびに入札情報と、前記オークションの締切日時と、を抽出する抽出部、
画面において、時間表示欄に注目日時から前記締切日時までの残り時間を、入札情報表示欄に前記入札情報を、それぞれ表示する表示部、
前記出品日時から前記入札日時のうち最古の入札日時までの間のいずれかの時刻を前記注目日時に設定し、
前記注目日時が現在日時に至るまで、前記注目日時を現実の時間経過よりも高速に更新し、前記注目日時が前記入札日時に至ると、当該入札日時における前記入札情報が前記入札情報表示欄に表示されるように設定する
更新部、
として機能させることを特徴とするプログラム。
【請求項１２】
コンピュータを、
オークションに関する表示要求があると、前記オークションが出品された出品日時と、前記オークションに入札がされた入札日時ならびに入札情報と、前記オークションの締切日時と、を抽出する抽出部、
画面において、時間表示欄に注目日時から前記締切日時までの残り時間を、入札情報表示欄に前記入札情報を、それぞれ表示する表示部、
前記出品日時から前記入札日時のうち最古の入札日時までの間のいずれかの時刻を前記注目日時に設定し、
前記注目日時が現在日時に至るまで、前記注目日時を現実の時間経過よりも高速に更新し、前記注目日時が前記入札日時に至ると、当該入札日時における前記入札情報が前記入札情報表示欄に表示されるように設定する
更新部、
として機能させることを特徴とするプログラムを記録した非一時的なコンピュータ読取可能な記録媒体。
【発明の詳細な説明】
【技術分野】
【０００１】
本発明は、表示装置、表示方法、プログラム、及び、記録媒体に関し、特に、オークションサイトにおけるオークション情報の表示に関する。
【背景技術】
【０００２】
近年、オークションサイトでの入札・購入を活発に行わせる目的で様々な手法が知られている。例えば、特許文献１には、手数料を支払わなければ入札価格を知ることができないスクラッチオークションにおいて、入札のモチベーションを高めるために、オークションの終了時刻から所定時間よりも前の時刻になると、オークション終了までの残り時間及び最新の入札価格をオークションに参加するクライアント装置に表示させる技術が開示されている。
【先行技術文献】
【特許文献】
【０００３】
【特許文献１】特開２０１２−１９８７４５号公報
【発明の概要】
【発明が解決しようとする課題】
【０００４】
しかしながら、オークションサイトでの表示により、より一層、入札や購入への意欲を促進したいという要望がある。【０００５】
本発明は、上記のような課題を解決するもので、オークションにおける入札や購入への意欲を促進するのに好適な表示装置、表示方法、プログラム、及び、記録媒体を提供することを目的とする。
【課題を解決するための手段】
【０００６】
本発明の第１の観点に係る表示装置は、
オークションに関する表示要求があると、前記オークションが出品された出品日時と、前記オークションに入札がされた入札日時ならびに入札価格と、前記オークションの締切日時と、を抽出する抽出部と、
画面において、時間表示欄に注目日時から前記締切日時までの残り時間を、価格表示欄に表示価格を、それぞれ表示する表示部と、
前記出品日時から前記入札日時のうち最古の入札日時までの間のいずれかの時刻を前記注目日時に設定し、
（ａ）前記注目日時が現在日時に至るまで、前記注目日時を現実の時間経過よりも高速に更新し、前記注目日時が前記入札日時に至ると、当該入札日時における入札価格を前記表示価格に設定し、
（ｂ）前記注目日時が現在日時に至って後、前記注目日時を現実の時間経過と同じ速度で更新する
更新部と、
を備えることを特徴とする。【０００７】
また、上記表示装置において、
前記更新部は、現在日時から前記締切日時までの残り時間が所定の閾時間以下であるときに前記表示要求があると、前記注目日時を現在日時に設定する
ことを特徴とする。【０００８】
また、上記表示装置において、
前記更新部は、前記表示要求ごとに前記所定の閾時間をランダムに変化させ、当該所定の閾時間の期待値を、前記オークションに対する閲覧率又は入札率が向上するように修正する
ことを特徴とする。【０００９】
また、上記表示装置において、
前記更新部は、前記注目日時が現在日時に至ると、現在日時から前記締切日時までの残り時間が所定の閾時間を超えていれば、前記注目日時を前記出品日時から前記入札日時のうち最古の入札日時までの間のいずれかの時刻を注目日時に設定する
ことを特徴とする。【００１０】
また、上記表示装置において、
前記更新部は、前記注目日時を現実の時間経過よりも高速に更新する倍率を、前記注目日時が前記入札日時を含む所定範囲内に含まれるか否かにより変化させる
ことを特徴とする。【００１１】
また、上記表示装置において、
前記表示部は、現在日時から前記締切日時までの残り時間が前記注目日時から前記締切日時までの残り時間より長いか否かに基づいて、前記時間表示欄の表示態様を変化させる
ことを特徴とする。【００１２】
本発明の第２の観点に係る表示方法は、
前記表示装置が、オークションに関する表示要求があると、前記オークションが出品された出品日時と、前記オークションに入札がされた入札日時ならびに入札価格と、前記オークションの締切日時と、を抽出する抽出工程と、
前記表示装置が、画面において、時間表示欄に注目日時から前記締切日時までの残り時間を、価格表示欄に表示価格を、それぞれ表示する表示工程、
前記表示装置が、前記出品日時から前記入札日時のうち最古の入札日時までの間のいずれかの時刻を前記注目日時に設定し、
（ａ）前記注目日時が現在日時に至るまで、前記注目日時を現実の時間経過よりも高速に更新し、前記注目日時が前記入札日時に至ると、当該入札日時における入札価格を前記表示価格に設定し、
（ｂ）前記注目日時が現在日時に至って後、前記注目日時を現実の時間経過と同じ速度で更新する
更新工程と、
を備えることを特徴とする表示方法。【００１３】
本発明の第３の観点に係るプログラムは、
コンピュータを、
オークションに関する表示要求があると、前記オークションが出品された出品日時と、前記オークションに入札がされた入札日時ならびに入札価格と、前記オークションの締切日時と、を抽出する抽出部、
画面において、時間表示欄に注目日時から前記締切日時までの残り時間を、価格表示欄に表示価格を、それぞれ表示する表示部、
前記出品日時から前記入札日時のうち最古の入札日時までの間のいずれかの時刻を前記注目日時に設定し、
（ａ）前記注目日時が現在日時に至るまで、前記注目日時を現実の時間経過よりも高速に更新し、前記注目日時が前記入札日時に至ると、当該入札日時における入札価格を前記表示価格に設定し、
（ｂ）前記注目日時が現在日時に至って後、前記注目日時を現実の時間経過と同じ速度で更新する
更新部、
として機能させることを特徴とする。【００１４】
本発明の第４の観点に係るは、非一時的なコンピュータ読取可能な記録媒体は、
コンピュータを、
オークションに関する表示要求があると、前記オークションが出品された出品日時と、前記オークションに入札がされた入札日時ならびに入札価格と、前記オークションの締切日時と、を抽出する抽出部、
画面において、時間表示欄に注目日時から前記締切日時までの残り時間を、価格表示欄に表示価格を、それぞれ表示する表示部、
前記出品日時から前記入札日時のうち最古の入札日時までの間のいずれかの時刻を前記注目日時に設定し、
（ａ）前記注目日時が現在日時に至るまで、前記注目日時を現実の時間経過よりも高速に更新し、前記注目日時が前記入札日時に至ると、当該入札日時における入札価格を前記表示価格に設定し、
（ｂ）前記注目日時が現在日時に至って後、前記注目日時を現実の時間経過と同じ速度で更新する
更新部、
として機能させることを特徴とするプログラムを記録する。【００１５】
なお、上記記録媒体は、コンピュータとは独立して配布・販売することができる。ここで、非一時的な（non-transitory）記録媒体とは、有形な（tangible）記録媒体をいう。非一時的な記録媒体は、例えば、コンパクトディスク、フレキシブルディスク、ハードディスク、光磁気ディスク、ディジタルビデオディスク、磁気テープ、半導体メモリ等である。また、一時的な（transitory）記録媒体とは、伝送媒体（伝搬信号）それ自体を示す。一時的な記録媒体は、例えば、電気信号、光信号、電磁波等である。なお、一時的な（temporary）記憶領域とは、データやプログラムを一時的に記憶するための領域であり、例えば、ＲＡＭ（Random Access Memory）等の揮発性メモリである。
【発明の効果】
【００１６】
本発明によれば、オークションにおける入札や購入への意欲を促進するのに好適な表示装置、表示方法、プログラム、及び、記録媒体を提供することができる。
【図面の簡単な説明】
【００１７】
【図１】本発明の実施形態に係る表示装置と、入札者端末と、出品者端末と、オークションサーバとの関係を示す図である。
【図２】本発明の実施形態に係る表示装置が実現される典型的な情報処理装置の物理的構成を示す図である。
【図３】実施形態に係る表示装置の機能構成を示す図である。
【図４】オークション情報テーブルを説明するための図である。
【図５】オークションの情報が含まれるページを説明するための図である。
【図６】注目日時の経過と、時間表示欄、価格表示欄、及び入札数表示欄の表示との関係を説明するための図である。
【図７】注目日時の経過と、時間表示欄、価格表示欄、及び入札数表示欄の表示との関係を説明するための図である。
【図８】注目日時の経過と、時間表示欄、価格表示欄、及び入札数表示欄の表示との関係を説明するための図である。
【図９】オークションの情報が含まれるページを説明するための図である。
【図１０】実施形態に係る表示装置が行う表示処理を説明するためのフローチャートである。
【発明を実施するための形態】
【００１８】
（１．全体構成）
本発明の実施形態に係る表示装置１００は、図１に示すように、インターネット５００に接続される。インターネット５００には、表示装置１００の他に、入札者端末２０１、２０２〜２０ｍ（以下、これらを総称して「入札者端末２００」という）と、出品者端末３０１、３０２〜３０ｎ（以下、これらを総称して「出品者端末３００」という）と、オークションサーバ４００と、が接続されている。
【００１９】
表示装置１００は、オークションサーバで扱われる商品の情報や入札の状況等を表示する装置である。
【００２０】
入札者端末２００は、オークションに出品された商品について入札を検討している閲覧者あるいは入札者が操作する端末である。
【００２１】
出品者端末３００は、オークションに商品を出品する出品者が操作する端末である。
【００２２】
オークションサーバ４００は、出品者から出品された商品について、出品者と入札者との間の売買を管理する装置である。
【００２３】
なお、表示装置１００とオークションサーバ４００との関係は、図１に示すものに限らない。例えば、表示装置１００は、オークションサーバ４００と直接接続されていてもよいし、あるいは、表示装置１００とオークションサーバ４００とが一体として構成されてもよい。
【００２４】
（２．情報処理装置の物理的構成）
本発明の実施形態に係る表示装置１００が実現される典型的な情報処理装置６００の物理的構成について説明する。
【００２５】
情報処理装置６００は、図２に示すように、ＣＰＵ（Central Processing Unit）６０１と、ＲＯＭ（Read Only Memory）６０２と、ＲＡＭ（Random Access Memory）６０３と、記憶装置６０４と、ＮＩＣ（Network Interface Card）６０５と、画像処理部６０６と、音声処理部６０７と、ディスプレイ６０８と、スピーカ６０９と、コントローラ６１０と、を備える。
【００２６】
ＣＰＵ  ６０１は、情報処理装置６００全体の動作を制御し、各構成要素と接続され、制御信号やデータをやりとりする。
【００２７】
ＲＯＭ  ６０２には、情報処理装置６００全体の動作制御に必要なオペレーティングシステムのプログラムや各種のデータが記録される。
【００２８】
ＲＡＭ  ６０３は、データやプログラムを一時的に記憶するためのもので、記憶装置６０４から読み出したプログラムやデータ、その他、通信に必要なデータ等が保持される。
【００２９】
記憶装置６０４は、ハードディスクやフラッシュメモリ等、から構成され、情報処理装置６００で処理するデータを記憶する。また、記憶装置６０４は、ＣＤ（Compact Disc）等の記録媒体からデータを読み出すデバイス等を備えるように構成されてもよい。
【００３０】
ＮＩＣ  ６０５は、情報処理装置６００をインターネット等のコンピュータ通信網に接続するためのものであり、ＮＩＣ  ６０５を介して他の情報処理装置等とやりとりをする。
【００３１】
画像処理部６０６は、記憶装置等から読み出されたデータをＣＰＵ  ６０１や画像処理部６０６が備える画像演算プロセッサによって加工処理し、画像処理部６０６が備えるフレームメモリに記録する。フレームメモリに記録された画像情報は、所定の同期タイミングでビデオ信号に変換され、ディスプレイ６０８に出力される。
【００３２】
音声処理部６０７は、記憶装置等から読み出されたデータをアナログ音声信号に変換し、スピーカ６０９から出力させる。
【００３３】
コントローラ６１０は、ユーザからの指示入力を受け付ける。
【００３４】
以下、上記情報処理装置６００において実現される表示装置１００について、図１乃至図１０を参照して説明する。情報処理装置６００に電源が投入されると、実施形態に係る表示装置１００として機能させるプログラムが実行され、実施形態に係る表示装置１００が実現される。
【００３５】
（３．実施形態の表示装置の機能構成）
表示装置１００は、図３に示すように、抽出部１０１と、表示部１０２と、更新部１０３と、から構成される。
【００３６】
本実施形態において、ＣＰＵ  ６０１及びＮＩＣ  ６０５が協働して、抽出部１０１及び表示部１０２として機能し、ＣＰＵ  ６０１が、更新部１０３として機能する。
【００３７】
抽出部１０１は、オークションに関する表示要求があると、オークションが出品された出品日時と、オークションに入札がされた入札日時ならびに入札価格と、オークションの締切日時と、を抽出する。
【００３８】
オークションに関する表示要求とは、オークションに出品された商品の情報や、オークションの入札状況等の情報の表示を求める要求である。表示要求は、例えば、オークションにおいて、おすすめのオークションや人気のある（入札数の多い）オークション等の表示を求める要求であってもよい。
【００３９】
例えば、オークションへの入札を検討している閲覧者が、表示装置１００に対して人気オークションの表示要求を行うと、抽出部１０１は、オークション情報ＤＢ  ７００を参照して、人気のあるオークションの出品日時、入札日時、入札価格、及び、締切日時を抽出する。
【００４０】
例えば、オークション情報ＤＢ  ７００には、図４に示すオークション情報テーブル７００ａが格納されている。抽出部１０１は、オークション情報テーブル７００ａを参照して、オークションに関する出品日時等を抽出する。
【００４１】
オークション情報テーブル７００ａには、オークションを特定するためのオークションＩＤ  ７００ａ１と、当該オークションに商品が出品された出品日時７００ａ２と、当該オークションへの入札を特定するための入札ＩＤ  ７００ａ３と、入札日時７００ａ４と、入札価格７００ａ５と、当該オークションの入札の締切日時７００ａ６と、が対応付けて登録されている。
【００４２】
例えば、図４のオークション情報テーブル７００ａの１行目は、オークションＩＤ“Ａ”のオークション（以下、「オークションＡ」）に商品が出品された出品日時が“２０１５年７月１日０時”であり、入札ＩＤ“Ａ１”の入札（以下、「入札Ａ１」）が入札日時“２０１５年７月１日２０時”に、入札価格“１０００円”を指定して行われ、締切日時“２０１５年７月７日０時”にオークションＡへの入札が締め切られることを示す。
【００４３】
なお、オークション情報ＤＢ  ７００は、外部のサーバなどの記憶装置に格納されていてもよいし、ＲＡＭ  ６０３や記憶装置６０４に格納されていてもよい。
【００４４】
また、オークション情報テーブル７００ａは、表示装置１００により作成されてもよいし、オークションサーバ４００等の他の装置において作成されてもよい。
【００４５】
表示部１０２は、画面において、時間表示欄に注目日時から締切日時までの残り時間を、価格表示欄に表示価格を、それぞれ表示する。
【００４６】
例えば、表示装置１００が人気オークションについての表示要求を受け付け、抽出部１０１により複数の人気オークションについての情報が抽出されたとする。この場合、表示部１０２は、図５に示すように、抽出されたオークションの情報が含まれるページ８００を生成する。ページ８００には、複数のオークションのそれぞれについての情報を表示する表示欄８１０〜８４０が含まれる。そして、各表示欄には、注目日時から締切日時までの残り時間が表示される時間表示欄、及び、出品された商品の表示価格が表示される価格表示欄が含まれる。
【００４７】
なお、表示欄には、オークションへの入札数を示す入札数表示欄を含めてもよい。
【００４８】
例えば、表示欄８１０には、時間表示欄８１１、価格表示欄８１２、及び、入札数表示欄８１３が含まれる。この例では、時間表示欄８１１の残り時間は、“赤色”で表示されているとする。
【００４９】
更新部１０３は、出品日時から入札日時のうち最古の入札日時までの間のいずれかの時刻を注目日時に設定する。
【００５０】
そして、更新部１０３は、（ａ）注目日時が現在日時に至るまで、注目日時を現実の時間経過よりも高速に更新し、注目日時が入札日時に至ると、当該入札日時における入札価格を表示価格に設定する。
【００５１】
ここで、図６から図８に、オークションＡの注目日時の経過と、時間表示欄８１１、価格表示欄８１２、及び、入札数表示欄８１３の表示との関係を示す。
【００５２】
例えば、更新部１０３が、注目日時を、出品時間“２０１５年７月１日０時”から最古の入札Ａ１の入札日時“２０１５年７月１日２０時”の間の“２０１５年７月１日１０時”に設定したとする（図６）。
【００５３】
注目日時が“２０１５年７月１日１０時”と設定されると、注目日時からオークションＡの締切日時“２０１５年７月７日０時”までの残り時間“１５８時間”が時間表示欄８１１に表示される。この例では、時間表示欄８１１の残り時間は、“青色”で表示されているとする。
【００５４】
また、オークションＡの出品者が設定した出品時の価格が“１００円”とすると、価格表示欄８１２に“１００円”が提示される。
【００５５】
また、注目日時は最古の入札の前（入札が行われていなかった日時）に設定されたので、オークションＡへの入札数を示す入札数表示欄８１３に、“０件”が表示される。
【００５６】
そして、更新部１０３は、図６の早送り期間９０１中、注目日時を現在日時の方向に早送りして更新し、時間表示欄８１１に早送りされた時間が表示される。
【００５７】
また、更新部１０３は、注目日時を現実の時間経過よりも高速に更新する倍率を、注目日時が入札日時を含む所定範囲内に含まれるか否かにより変化させるようにしてもよい。
【００５８】
例えば、注目日時が現実の時間経過の３倍で早送りされており、注目日時が入札Ａ１の入札日時を含む所定範囲９０４に入ると、更新部１０３は、注目日時の早送りの速度を１．５倍に変更する。
【００５９】
そして、注目日時が入札Ａ１の入札日時となると（図７）、入札Ａ１の入札日時における入札価格“１０００円”が価格表示欄８１２に表示される。また、入札Ａ１は最古（最初）の入札なので、入札数“１件”が入札数表示欄８１３に表示される。
【００６０】
また、更新部１０３は、（ｂ）注目日時が現在日時に至って後、注目日時を現実の時間経過と同じ速度で更新する。
【００６１】
ここで、表示部１０２は、現在日時から締切日時までの残り時間が注目日時から締切日時までの残り時間より長いか否かに基づいて、時間表示欄の表示態様を変化させる。
【００６２】
例えば、図６、７において、現在日時から締切日時までの残り時間は、現実の時間経過期間９０３であり、注目日時から締切日時までの残り時間は、残り時間９０２である。現在日時から締切日時までの残り時間（現実の時間経過期間９０３）が注目日時から締切日時までの残り時間（残り時間９０２）より短い場合、更新部１０３は注目日時を早送りで更新し（早送り期間９０１）、表示部１０２は、図６及び図７に示すように、時間表示欄８１１の残り時間を“青色”で表示する。
【００６３】
一方、現在日時から締切日時までの残り時間（現実の時間経過期間９０３）が注目日時から締切日時までの残り時間（残り時間９０２）と同じになる、すなわち、注目日時が現在日時に至ると（図８）、更新部１０３は、注目日時を現実の時間経過と同じ速度で更新し、表示部１０２は、図８に示すように、時間表示欄８１１の残り時間を“赤色”で表示する。
【００６４】
また、注目日時が現在日時に至ると、価格表示欄８１２には現在に入札価格“２１０００円”が表示され、入札数表示欄８１３には現在の入札数“９２件”が表示される。
【００６５】
表示装置１００は、表示要求に係る複数のオークションのそれぞれについて、時間表示欄、価格表示欄、及び入札数表示欄を更新し、図９に示すように、各オークションの入札の履歴の早送りの様子を一斉に表示する。
【００６６】
このような構成により、オークションにおいて入札がされて入札価格が上がっていく様子が高速で表示されるので、入札を検討する者に、そのオークションでの賑わいをリアルに感じさせることができる。また、複数のオークションについて、残り時間や入札価格が更新される様子を見ることができるので、オークション間の賑わいを比較することができる。また、狭い表示欄でも多くの情報を閲覧者に提供することができる。
【００６７】
さらに、入札履歴の早送り中に過去に入札が行われた入札日時にさしかかると、早送りの速度を遅くすることにより、過去の入札時の入札価格に注目できるよう演出することができる。
【００６８】
なお、表示装置１００は、上記の様な時間表示欄８１１及び価格表示欄８１２等の早送り表示を、表示要求を行った者の指定により、特定のオークションについてのみ行うようにしてもよい。
【００６９】
これにより、特定のオークションについて残り時間や表示価格が更新されると、変化の様子をじっくりと見ることができる。
【００７０】
また、更新部１０３は、現在日時から締切日時までの残り時間が所定の閾時間以下であるときに表示要求があると、注目日時を現在日時に設定するようにしてもよい。
【００７１】
例えば、所定の閾時間を“１０分”とする。表示要求が行われたタイミングで、表示要求に係るいずれかのオークションの「現在日時から締切日時までの残り時間」が“１分”になっていた場合、更新部１０３は、注目日時を現在日時に設定し、更新部１０３は、現実の経過時間と同じ速度で、残り時間を更新する。
【００７２】
あるいは、更新部１０３は、表示要求が行われたタイミングで、表示要求に係るオークションのうち「現在日時から締切日時までの残り時間」が所定の閾時間以下のオークションのみ、現実の経過時間と同じ速度で、残り時間を更新するようにしてもよい。
【００７３】
このような構成により、締切日時が迫っている時に、過去の履歴が時間表示欄や価格表示欄でリプレイされて、現在の残り時間や入札価格が分からなくなることを防ぐことができる。
【００７４】
また、更新部１０３は、表示要求ごとに所定の閾時間をランダムに変化させ、当該所定の閾時間の期待値を、オークションに対する閲覧率又は入札率が向上するように修正するようにしてもよい。
【００７５】
例えば、オークションに対する閲覧率とは、表示要求により図５のページ８００が表示された回数に対する、ページ８００に含まれるオークションのうちいずれかが選択されて、各オークションのページに遷移する割合である。また、例えば、オークションに対する入札率とは、選択されたオークションのページが表示された回数に対する、当該オークションへの入札が行われる割合である。
【００７６】
例えば、更新部１０３は、表示要求がある度に、所定の閾時間を“１０分”から“１分”迄の１分間隔の値で、ランダムに変化させる。初期設定として、所定の閾時間が、“１分”、“２分”、“３分”、・・・、“１０分”と設定される確率を等しく設定する。この場合、所定の閾時間の期待値は、１×（１／１０）＋２×（１／１０）＋３×（１／１０）＋・・・＋１０×（１／１０）＝５．５分である。この値を、オークションに対する閲覧率又は入札率が向上するように、修正する。すなわち、各値“１分”、“２分”、“３分”、・・・、“１０分”が所定の閾時間に採用される確率を変更する。
【００７７】
このような構成により、オークションの閲覧あるいは入札に効果的な場合に、オークションの履歴を提示するように修正できる。
【００７８】
また、更新部１０３は、注目日時が現在日時に至ると、現在日時から締切日時までの残り時間が所定の閾時間を超えていれば、注目日時を出品日時から入札日時のうち最古の入札日時までの間のいずれかの時刻を注目日時に設定する。
【００７９】
例えば、図８に示すように、注目日時が現在日時に至り、残り時間９０２が所定の閾時間“１０分”より長い場合、更新部１０３は、再度、注目日時を、出品時間“２０１５年７月１日０時”から最古の入札Ａ１の入札日時“２０１５年７月１日２０時”の間のいずれかの時刻に設定する。そして、更新部１０３は、注目日時が現在日時に至るまで、注目日時を早送りで更新する。
【００８０】
このような構成により、オークションの入札の履歴を繰り返し表示することができる。
【００８１】
（４．実施形態の表示装置の動作）
本実施形態の表示装置１００が行う表示処理について説明する。表示装置１００は、オークションサーバ４００で取り扱われているオークションについての表示要求を受け付けると、図１０に示す処理を開始する。
【００８２】
抽出部１０１は、オークションに関する表示要求があると、オークションが出品された出品日時と、オークションに入札がされた入札日時ならびに入札価格と、オークションの締切日時と、を抽出する（ステップＳ１０１）。
【００８３】
例えば、抽出部１０１は、オークションへの入札を検討している閲覧者が、表示装置１００に対して人気オークションの表示要求を行うと、抽出部１０１は、オークション情報ＤＢ  ７００のオークション情報テーブル７００ａを参照して、人気のあるオークションの出品日時、入札日時、入札価格、及び、締切日時を抽出する。ここでは、人気のあるオークションの１つとしてオークションＡが選択され、オークションＡについての情報が抽出されたとする。
【００８４】
表示部１０２は、画面において、時間表示欄に注目日時から締切日時までの残り時間を、価格表示欄に表示価格を、それぞれ表示する（ステップＳ１０２）。
【００８５】
例えば、表示部１０２は、図５に示すように、時間表示欄８１１及び価格表示欄８１２にオークションＡの残り時間及び表示価格（注目日時における入札価格）をそれぞれ表示して、時間表示欄８１１及び価格表示欄８１２が含まれるページ８００を画面に表示させる。また、ページ８００には、オークションＡへ入札が行われた入札数が入札数表示欄８１３に表示されてもよい。
【００８６】
更新部１０３は、現在日時から締切日時までの残り時間が所定の閾時間以下か否かを判断する（ステップＳ１０３）。更新部１０３は、現在日時から締切日時までの残り時間が所定の閾時間以下と判断すると（ステップＳ１０３；Ｙｅｓ）、現在日時を注目日時に設定する（ステップＳ１１０）。そして、更新部１０３は、注目日時（現在日時）から締切日時までの残り時間を時間表示欄に表示させ（ステップＳ１１１）、注目日時を現実の時間経過と同じ速度で更新する（ステップＳ１１３）。
【００８７】
例えば、オークションＡの現在日時からの残り時間が“１０分”であり、所定の閾時間“１０分”以下の場合、更新部１０３は、注目日時を現在日時に設定し、残り時間“１０分”を時間表示欄８１１に表示させ、注目日時を現実の時間経過と同じ速度で更新する。そして、価格表示欄８１２には、注目日時での入札価格、すなわち現在の入札価格が表示される。また、入札数表示欄８１３には、現在の入札数が表示される。
【００８８】
一方、現在日時から締切日時までの残り時間が所定の閾時間より長いと判断されると（ステップＳ１０３；Ｎｏ）、出品日時から入札日時のうち最古の入札日時までの間のいずれかの時刻を注目日時に設定する（ステップＳ１０４）。そして、更新部１０３は、注目日時から締切日時までの残り時間を時間表示欄に表示させ（ステップＳ１０５）、設定した注目日時を現在日時の方向に高速に更新する（ステップＳ１０６）。
【００８９】
例えば、オークションＡの現在日時から残り時間が“１０時間”であり、所定の閾時間“１０分”より長い場合、更新部１０３は、注目日時に、出品時間“２０１５年７月１日０時”から最古の入札Ａ１の入札日時“２０１５年７月１日２０時”の間の“２０１５年７月１日１０時”を設定する（図６）。そして、更新部１０３は、注目日時から締切日時までの残り時間“１５８時間”を時間表示欄８１１に“青色”で表示させ、注目日時を早送りする。価格表示欄８１２には、注目日時での入札価格、すなわち出品価格“１００円”が表示され、入札数表示欄８１３には、入札数“０件”が表示される。
【００９０】
更新部１０３は、注目日時が現在日時に至っているか否か判断する（ステップＳ１０７）。更新部１０３は注目日時が現在日時に至っていると判断すると（ステップＳ１０７；Ｙｅｓ）、注目日時（現在日時）から締切日時までの残り時間が所定の閾時間以下であるか否かを判断する（ステップＳ１１２）。更新部１０３は、注目日時（現在日時）から締切日時までの残り時間が所定の閾時間以下と判断すると（ステップＳ１１２；Ｙｅｓ）、注目日時を現実の時間経過と同じ速度で更新する（ステップＳ１１３）。一方、更新部１０３は、注目日時（現在日時）から締切日時までの残り時間が所定の閾時間より長いと判断すると（ステップＳ１１２；Ｎｏ）、ステップＳ１０４からの処理を繰り返す。
【００９１】
例えば、更新部１０３は、注目日時が現在日時に至り（図８）、注目日時（現在日時）から締切日時までの残り時間“１０分”である場合、残り時間が所定の閾時間“１０分”以下と判断し、注目日時を現実の時間経過と同じ速度で更新する。一方、更新部１０３は、注目日時が現在日時に至り、注目日時（現在日時）から締切日時までの残り時間“１０時間”である場合、残り時間が所定の閾時間“１０分”より長いと判断し、再び、注目日時を、出品時間“２０１５年７月１日０時”から最古の入札Ａ１の入札日時“２０１５年７月１日２０時”の間の“２０１５年７月１日１０時”に設定し（図６）、早送りを開始する。
【００９２】
ステップＳ１０７において、更新部１０３が、注目日時が現在日時に至っていない判断すると（ステップＳ１０７；Ｎｏ）、更新部１０３は、注目日時が過去の入札日時であるか否かを判断する（ステップＳ１０８）。更新部１０３は、注目日時が過去の入札日時であると判断すると（ステップＳ１０８；Ｙｅｓ）、入札価格を表示価格に設定し、価格表示欄に表示させる（ステップＳ１０９）。一方、更新部１０３は、注目日時が過去の入札日時でないと判断すると（ステップＳ１０８；Ｎｏ）、ステップＳ１０７に戻る。
【００９３】
例えば、更新部１０３は、更新されている注目日時が過去の入札Ａ１の入札日時に達すると（図７）、表示価格に入札Ａ１の入札価格“１０００円”を設定し、価格表示欄８１２に表示させる。同時に、入札数“１件”を入札数表示欄８１３に表示させる。一方、更新部１０３は、注目日時が過去の入札の入札日時でない場合は、ステップＳ１０７以降の処理を繰り返す。
【００９４】
ステップＳ１１３において、注目日時が現実の時間経過と同じ速度で更新されると、更新部１０３は注目日時が締切日時に至ったか否かを判断する（ステップＳ１１４）。更新部１０３が、注目日時が締切日時に至ったと判断すると（ステップＳ１１４；Ｙｅｓ）、表示処理は終了する。一方、更新部１０３が、注目日時が締切日時に至っていないと判断すると（ステップＳ１１４；Ｎｏ）、待機して注目日時が締切日時に至るまで監視する。
【００９５】
例えば、オークションＡの注目日時が現在日時に達した後、締切日時“２０１５年７月７日０時”に至ると、表示処理は終了する。一方、締切日時“２０１５年７月７日０時”には至っていない場合、更新部１０３は、注目日時を現実の時間経過と同じ速度で更新し、更新された注目日時（現在日時）から締切日時までの残り時間が時間表示欄８１１に表示される。そして、更新部１０３は、注目日時（現在日時）が締切日時に至るまで監視する。
【００９６】
なお、現実の時間経過と同じ速度で更新されている場合に、オークションＡについて入札が行われた場合、価格表示欄８１２や入札数表示欄８１３を、入札の度に更新するようにしてもよい。
【００９７】
上記のフローチャートの説明では、オークションＡが抽出された例を示したが、ステップＳ１０１において複数のオークションについての情報が抽出された場合は、それぞれのオークションについて、ステップＳ１０２〜ステップＳ１１４までの処理が行われる。
【００９８】
上記実施形態において残り時間を数字で表す表示形態について示したが、残り時間の表示形態はこれに限らない。例えば、時間表示欄は、長方形や円などの図形を採用し、注目日時から締切日時までの残り時間を図形の面積で表すようにしても良い。
【００９９】
本発明は、本発明の広義の精神と範囲を逸脱することなく、様々な実施の形態及び変形が可能とされるものである。また、上述した実施の形態は、この発明を説明するためのものであり、本発明の範囲を限定するものではない。すなわち、本発明の範囲は、実施の形態ではなく、特許請求の範囲によって示される。そして、特許請求の範囲内及びそれと同等の発明の意義の範囲内で施される様々な変形が、この発明の範囲内とみなされる。
【符号の説明】
【０１００】
１００  表示装置
１０１  抽出部
１０２  表示部
１０３  更新部
２００、２０１、２０２〜２０ｍ  入札者端末
３００、３０１、３０２〜３０ｎ  出品者端末
４００  オークションサーバ
５００  インターネット
６００  情報処理装置
６０１  ＣＰＵ
６０２  ＲＯＭ
６０３  ＲＡＭ
６０４  記憶装置
６０５  ＮＩＣ
６０６  画像処理部
６０７  音声処理部
６０８  ディスプレイ
６０９  スピーカ
６１０  コントローラ
７００  オークション情報ＤＢ
８００  ページ
８１０、８２０、８３０、８４０  表示欄
８１１  時間表示欄
８１２  価格表示欄
８１３  入札数表示欄
９０１  早送り期間
９０２  残り時間
９０３  現実の時間経過期間
９０４  所定範囲
【要約】
抽出部（１０１）は、オークションに関する表示要求があると、オークションが出品された出品日時と、オークションに入札がされた入札日時ならびに入札価格と、オークションの締切日時と、を抽出する。表示部（１０２）は、画面において、時間表示欄に注目日時から締切日時までの残り時間を、価格表示欄に表示価格を、それぞれ表示する。更新部（１０３）は、出品日時から入札日時のうち最古の入札日時までの間のいずれかの時刻を注目日時に設定し、（ａ）注目日時が現在日時に至るまで、注目日時を現実の時間経過よりも高速に更新し、注目日時が入札日時に至ると、当該入札日時における入札価格を表示価格に設定し、（ｂ）注目日時が現在日時に至って後、注目日時を現実の時間経過と同じ速度で更新する。【図１】
0006009723.tif 000002
【図２】
0006009723.tif 000003
【図３】
0006009723.tif 000004
【図４】
0006009723.tif 000005
【図５】
0006009723.tif 000006
【図６】
0006009723.tif 000007
【図７】
0006009723.tif 000008
【図８】
0006009723.tif 000009
【図９】
0006009723.tif 000010
【図１０】
0006009723.tif 000011